(57)【要約】      （修正有）【課題】よりセキュリティを向上させた携帯型デバイス及びプログラムを提供する。【解決手段】携帯型装置１は、ユーザの耳に装着してそのユーザが発する音に関する振動を検知する骨伝導マイク４と、骨伝導マイク４が検知した振動のパターンに基づき、認証を許可する振動データを記憶した振動パターン記憶部３２を参照して認証を行う振動認証部１３と、振動認証部１３により認証された場合に、特定の処理を行う処理部１６とを備える。【選択図】図２
2017151735.tif 000002
【特許請求の範囲】
【請求項１】
人体に装着してその人が発する音に関する振動を検知する振動検知部と、
前記振動検知部が検知した振動のパターンに基づき、認証を許可する振動に関するデータを記憶した振動パターン記憶部を参照して認証を行う振動認証手段と、
前記振動認証手段により認証された場合に、特定の処理を行う特定処理手段と、
を備える携帯型デバイス。
【請求項２】
請求項１に記載の携帯型デバイスにおいて、
前記振動検知部が検知した振動のパターンを分析し、個人ごとに固有の特徴量を抽出する特徴量抽出手段を備え、
前記振動パターン記憶部は、認証を許可する前記特徴量を記憶し、
前記振動認証手段は、前記特徴量抽出手段によって抽出された特徴量と、予め前記振動パターン記憶部に記憶された特徴量とを照合して認証を行うこと、
を特徴とする携帯型デバイス。
【請求項３】
請求項１又は請求項２に記載の携帯型デバイスにおいて、
前記振動検知部が検知した振動を音声に変換して音声認識する音声認識手段を備え、
前記特定処理手段は、前記振動認証手段により認証された場合に、前記音声認識手段により音声認識された前記音声の内容に基づく処理を行うこと、
を特徴とする携帯型デバイス。
【請求項４】
請求項３に記載の携帯型デバイスにおいて、
前記振動認証手段による処理と、前記音声認識手段による処理とを並行して行うこと、
を特徴とする携帯型デバイス。
【請求項５】
請求項１から請求項４までのいずれかに記載の携帯型デバイスにおいて、
前記振動検知部は、骨伝導マイクであること、
を特徴とする携帯型デバイス。
【請求項６】
請求項１から請求項４までのいずれかに記載の携帯型デバイスにおいて、
前記振動検知部は、咽喉マイクであること、
を特徴とする携帯型デバイス。
【請求項７】
請求項１から請求項６までのいずれかに記載の携帯型デバイスにおいて、
前記振動検知部が検知した振動を音声に変換し、個人ごとに固有の声紋データを抽出する声紋抽出手段と、
認証を許可する前記声紋データを記憶する声紋記憶部と、
前記声紋抽出手段によって抽出された声紋データと、予め前記振動パターン記憶部に記憶された声紋データとを照合して認証を行う声紋認証手段と、
を備え、
前記特定処理手段は、前記振動認証手段により認証され、かつ、前記声紋認証手段により認証された場合に、特定の処理を行うこと、
を特徴とする携帯型デバイス。
【請求項８】
請求項１から請求項７までのいずれかに記載の携帯型デバイスとしてコンピュータを機能させるためのプログラム。
【発明の詳細な説明】
【技術分野】
【０００１】
本発明は、本人認証に使用する携帯型デバイス及びプログラムに関する。
【背景技術】
【０００２】
従来、音声を使用して本人認証をする端末が開示されている（例えば、特許文献１）。特許文献１で開示されている端末は、音声を受け付け、声紋認証を行って本人であるか否かを判定し、また、音声認識の結果を用いてアプリケーションを実行する。
【先行技術文献】
【特許文献】
【０００３】
【特許文献１】国際公開第２０１４／１０９３４４号
【発明の概要】
【発明が解決しようとする課題】
【０００４】
上述の端末では、その端末の使用者の音声を予め録音しておき、使用者以外の者が録音した音声を用いた場合であっても、認証してしまう。そのため、使用者以外の者が、使用者になりすましてアプリケーションを実行できてしまうものであった。
そこで、本発明は、よりセキュリティを向上させた携帯型デバイス及びプログラムを提供することを目的とする。
【課題を解決するための手段】
【０００５】
本発明は、以下のような解決手段により、前記課題を解決する。
第１の発明は、人体に装着してその人が発する音に関する振動を検知する振動検知部と、前記振動検知部が検知した振動のパターンに基づき、認証を許可する振動に関するデータを記憶した振動パターン記憶部を参照して認証を行う振動認証手段と、前記振動認証手段により認証された場合に、特定の処理を行う特定処理手段と、を備える携帯型デバイスである。
第２の発明は、第１の発明の携帯型デバイスにおいて、前記振動検知部が検知した振動のパターンを分析し、個人ごとに固有の特徴量を抽出する特徴量抽出手段を備え、前記振動パターン記憶部は、認証を許可する前記特徴量を記憶し、前記振動認証手段は、前記特徴量抽出手段によって抽出された特徴量と、予め前記振動パターン記憶部に記憶された特徴量とを照合して認証を行うこと、を特徴とする携帯型デバイスである。
第３の発明は、第１の発明又は第２の発明の携帯型デバイスにおいて、前記振動検知部が検知した振動を音声に変換して音声認識する音声認識手段を備え、前記特定処理手段は、前記振動認証手段により認証された場合に、前記音声認識手段により音声認識された前記音声の内容に基づく処理を行うこと、を特徴とする携帯型デバイスである。
第４の発明は、第３の発明の携帯型デバイスにおいて、前記振動認証手段による処理と、前記音声認識手段による処理とを並行して行うこと、を特徴とする携帯型デバイスである。
第５の発明は、第１の発明から第４の発明までのいずれかの携帯型デバイスにおいて、前記振動検知部は、骨伝導マイクであること、を特徴とする携帯型デバイスである。
第６の発明は、第１の発明から第４の発明までのいずれかの携帯型デバイスにおいて、前記振動検知部は、咽喉マイクであること、を特徴とする携帯型デバイスである。
第７の発明は、第１の発明から第６の発明までのいずれかの携帯型デバイスにおいて、前記振動検知部が検知した振動を音声に変換し、個人ごとに固有の声紋データを抽出する声紋抽出手段と、認証を許可する前記声紋データを記憶する声紋記憶部と、前記声紋抽出手段によって抽出された声紋データと、予め前記振動パターン記憶部に記憶された声紋データとを照合して認証を行う声紋認証手段と、を備え、前記特定処理手段は、前記振動認証手段により認証され、かつ、前記声紋認証手段により認証された場合に、特定の処理を行うこと、を特徴とする携帯型デバイスである。
第８の発明は、第１の発明から第７の発明までのいずれかの携帯型デバイスとしてコンピュータを機能させるためのプログラムである。
【発明の効果】
【０００６】
本発明によれば、よりセキュリティを向上させた携帯型デバイス及びプログラムを提供することができる。
【図面の簡単な説明】
【０００７】
【図１】本実施形態に係る携帯型装置の例を示す図である。
【図２】本実施形態に係る携帯型装置の機能ブロックを示す図である。
【図３】本実施形態に係る携帯型装置の処理内容データ記憶部の例を示す図である。
【図４】本実施形態に係る携帯型装置のメイン処理を示すフローチャートである。
【図５】本実施形態に係る携帯型装置を用いた名刺交換での使用例を示す図である。
【図６】本実施形態に係る携帯型装置を用いた決済での使用例を示す図である。
【図７】本実施形態に係る携帯型装置を用いた病院での使用例を示す図である。
【図８】変形形態に係る携帯型装置の例を示す図である。
【発明を実施するための形態】
【０００８】
以下、本発明を実施するための形態について、図を参照しながら説明する。なお、これは、あくまでも一例であって、本発明の技術的範囲はこれに限られるものではない。
（実施形態）
＜携帯型装置１＞
図１は、本実施形態に係る携帯型装置１の例を示す図である。
図２は、本実施形態に係る携帯型装置１の機能ブロックを示す図である。
図３は、本実施形態に係る携帯型装置１の処理内容データ記憶部の例を示す図である。
【０００９】
図１に示す携帯型装置１（携帯型デバイス）は、骨伝導マイク４（振動検知部）をユーザＰの耳（人体）に装着して使用する携帯型の装置である。
携帯型装置１は、ユーザＰが発音した際に、骨伝導マイク４が骨から伝わってくる振動を取得することで、振動を利用してユーザＰ本人であるか否かを判定する本人認証処理を行い、各種処理に利用する装置である。各種処理とは、例えば、携帯型装置１に記憶されたデータを用いた処理であり、物品購入時の決済処理や、名刺交換の処理等をいう。
また、携帯型装置１は、取得した振動を音声に変換することで、音声を認識する機能を有する。
【００１０】
携帯型装置１は、例えば、スマートフォンに代表されるような携帯情報端末である。なお、携帯型装置１は、スマートフォンのような兼用装置であってもよいし、専用装置であってもよい。
図２に示すように、携帯型装置１は、骨伝導マイク４と、通信部８と、制御部１０と、記憶部３０とを備える。
骨伝導マイク４は、ユーザＰが発音することで、骨から伝わってくる振動を検知する装置である。骨伝導マイク４は、図１に示すように、ユーザＰが携帯型装置１を携行した状態で、ユーザＰの耳の部分に取り付けられる。
【００１１】
通信部８は、外部の装置（端末等）との間で通信を行うためのインタフェースである。通信部８は、例えば、Ｂｌｕｅｔｏｏｔｈ（登録商標）や、ＮＦＣ（Ｎｅａｒ  Ｆｉｅｌｄ  Ｃｏｍｍｕｎｉｃａｔｉｏｎ）に代表される短距離無線通信を行うものであってもよいし、その他の通信方式（ｗｉ−ｆｉ、人体通信）を行うものであってもよい。また、通信部８は、複数の通信方式を組み合わせてもよい。
【００１２】
制御部１０は、携帯型装置１の全体を制御するＣＰＵ（中央処理装置）である。制御部１０は、記憶部３０に記憶されているアプリケーションプログラム等を適宜読み出して実行することにより、上述したハードウェアと協働し、各種機能を実行する。
制御部１０は、振動受付部１１と、特徴量抽出部１２（特徴量抽出手段）と、振動認証部１３（振動認証手段）と、音声変換部１４と、音声認識部１５（音声認識手段）と、処理部１６（特定処理手段）とを備える。
【００１３】
振動受付部１１は、骨伝導マイク４から振動データを受け付ける制御部である。ここで、振動データは、ユーザＰが発音した際に骨を伝わってくる振動に関するデータであるので、周囲の雑音等が入らない、純粋にユーザＰの発音に関する振動データである。
特徴量抽出部１２は、振動受付部１１が受け付けた振動データを分析して、個人ごとに固有の特徴量を抽出する制御部である。
振動認証部１３は、振動受付部１１が受け付けた振動データの特徴量に基づき、振動パターン記憶部３２を参照して、認証を許可するユーザＰから発せられた音声に関する振動であるか否かを判断することで認証を行う制御部である。
音声変換部１４は、振動受付部１１が受け付けた振動データを、音声データに変換する制御部である。
音声認識部１５は、音声変換部１４により変換された音声データを音声認識して、音声の内容をテキストデータとして取得する制御部である。
処理部１６は、振動認証部１３によって認証された場合に、音声認識部１５によって取得したテキストデータに基づく処理を行う制御部である。
なお、これらの各機能の詳細については、後述する。
【００１４】
記憶部３０は、制御部１０を実行するために必要なプログラム、データ等を記憶するための半導体メモリ素子等の記憶領域である。
記憶部３０は、プログラム記憶部３１と、振動パターン記憶部３２と、処理内容データ記憶部３３とを備える。
プログラム記憶部３１は、各種のプログラムを記憶する記憶領域である。
プログラム記憶部３１は、処理プログラム３１ａ（プログラム）を記憶している。処理プログラム３１ａは、制御部１０の各機能を実行するためのプログラムである。
【００１５】
振動パターン記憶部３２は、認証に使用する振動データ（振動に関するデータ）を記憶する記憶領域である。振動パターン記憶部３２は、例えば、この携帯型装置１を使用するユーザＰが発声した際に骨から伝わってきた振動データとして、この振動データを分析して得られるユーザＰ固有の特徴量を記憶する。携帯型装置１では、まず、事前処理として、ユーザＰが発声した際に骨から伝わってきた振動データを、骨伝導マイク４を介して取得する。そして、携帯型装置１は、振動データを分析して得られるユーザＰ固有の特徴量を、振動パターン記憶部３２に記憶させる。
処理内容データ記憶部３３は、処理内容のデータを記憶する記憶領域である。処理内容データ記憶部３３は、図３に示すように、処理項目と、その処理で使用する処理データとを対応付けて記憶する。処理項目は、この携帯型装置１を用いて行う処理の名称であり、例えば、決済、保険証、名刺交換等である。また、処理データは、処理で使用するデータである。処理データは、個人情報等の秘匿情報であり、暗号化されたデータである。処理項目が「決済」であれば、処理データは、例えば、クレジットカードのカード番号であり、処理項目が「保険証」であれば、処理データは、例えば、ユーザＩＤである。また、処理項目が「名刺交換」であれば、処理データは、例えば、ユーザＰの氏名、電子メールアドレス、電話番号、住所等の個人データである。
【００１６】
なお、コンピュータとは、制御部、記憶装置等を備えた情報処理装置をいい、携帯型装置１は、制御部１０、記憶部３０等を備えた情報処理装置であり、コンピュータの概念に含まれる。
【００１７】
＜メイン処理の説明＞
次に、携帯型装置１での処理について説明する。
図４は、本実施形態に係る携帯型装置１のメイン処理を示すフローチャートである。
図４に示すメイン処理は、事前処理後に実行される処理である。ここで、事前処理として、携帯型装置１は、骨伝導マイク４が、ユーザＰが発音した際の骨から伝わってくる振動を検知するので、制御部１０は、骨伝導マイク４を介して取得した振動データを、振動パターン記憶部３２に記憶させる処理を行う。
【００１８】
耳に骨伝導マイク４を装着したユーザＰが、携帯型装置１を携行した状態で発音することで、ステップＳ（以下、「Ｓ」という。）１０において、制御部１０（振動受付部１１）は、骨伝導マイク４を介して振動データを受け付ける。
Ｓ１１において、制御部１０（特徴量抽出部１２、振動認証部１３）は、振動パターン記憶部３２を参照して、受け付けた振動データに基づいて認証する。具体的には、制御部１０は、受け付けた振動データを分析して、特徴量を抽出する。ここで、制御部１０は、振動データからスペクトログラムを生成した上で声の特徴を数値化したものを、特徴量として抽出する。そして、そして、制御部１０は、抽出した特徴量と、振動パターン記憶部３２に記憶されている認証を許可する特徴量とを照合して、認証を行う。
Ｓ１２において、制御部１０（振動認証部１３）は、Ｓ１１による処理の結果、振動データによって認証できたか否かを判断する。認証できた場合（Ｓ１２：ＹＥＳ）には、制御部１０は、処理をＳ１３に移す。他方、認証できなかった場合（Ｓ１２：ＮＯ）には、制御部１０は、本処理を終了する。
【００１９】
つまり、携帯型装置１は、携帯型装置１を使用するユーザＰの振動データから得られる特徴量を振動パターン記憶部３２に登録しておけば、ユーザＰ以外の者が携帯型装置１を使用した場合には、振動パターン記憶部３２に記憶された特徴量とは一致しない。そのため、携帯型装置１は、不正に使用されることがない。
【００２０】
Ｓ１３において、制御部１０（音声変換部１４）は、振動受付部１１が受け付けた振動データを、音声データに変換する。
Ｓ１４において、制御部１０（音声認識部１５）は、音声認識処理を行う。具体的には、制御部１０は、Ｓ１３で振動データから変換した音声データを音声認識して、テキストデータを取得する。
Ｓ１５において、制御部１０は、Ｓ１４によって取得したテキストデータに基づき、処理内容データ記憶部３３を参照して、該当する処理項目を抽出する。例えば、テキストデータが「けっさい」である場合には、制御部１０は、処理内容データ記憶部３３の処理項目「決済」を抽出する。
【００２１】
Ｓ１６において、制御部１０は、Ｓ１５の処理によって処理項目を抽出できたか否かを判断する。処理項目を抽出できた場合（Ｓ１５：ＹＥＳ）には、制御部１０は、処理をＳ１７に移す。他方、処理項目を抽出できなかった場合（Ｓ１５：ＮＯ）には、制御部１０は、本処理を終了する。
Ｓ１７において、制御部１０（処理部１６）は、抽出した処理項目に対応する処理データを用いた処理を実行する。その後、制御部１０は、本処理を終了する。
【００２２】
＜具体例の説明＞
次に、携帯型装置１で実行可能な処理の具体例を説明する。
（例１：名刺交換）
図５は、本実施形態に係る携帯型装置１を用いた名刺交換での使用例を示す図である。
図５に示す例は、本実施形態の携帯型装置１Ａ（１）を有するユーザＰＡと、携帯型装置１Ｂ（１）を有するユーザＰＢとの間で、お互いの個人データをやりとりする場合である。
まず、図５（Ａ）に示すように、ユーザＰＡは、携帯型装置１Ａの骨伝導マイク４Ａ（４）を装着した状態で「名刺交換」と発音する。同様に、ユーザＰＢは、携帯型装置１Ｂの骨伝導マイク４Ｂ（４）を装着した状態で「名刺交換」と発音する。
そして、図５（Ｂ）に示すように、ユーザＰＡ及びユーザＰＢは、各々の携帯型装置１Ａ及び１Ｂを近接させる。
【００２３】
携帯型装置１Ａ及び１Ｂでは、各骨伝導マイク４が「名刺交換」の発音に基づいて、骨から伝わってくる振動を検知することで、各携帯型装置１の制御部１０（振動受付部１１）は、各骨伝導マイク４を介して振動データを受け付ける（図４のＳ１０）。そして、携帯型装置１Ａ及び１Ｂは、各携帯型装置１の制御部１０（特徴量抽出部１２、振動認証部１３）が各々振動データを用いて認証した後（図４のＳ１２がＹＥＳ）に、制御部１０（音声変換部１４、音声認識部１５）が振動データを音声データに変換して音声認識処理をし、処理内容データ記憶部３３（図３）を参照して処理項目を抽出する（図４のＳ１３〜１５）。そして、携帯型装置１Ａ及び１Ｂは、各々処理項目が「名刺交換」を抽出できたので（図４のＳ１６がＹＥＳ）、制御部１０（処理部１６）は、通信部８を用いた非接触通信を行う。携帯型装置１Ａは、処理内容データ記憶部３３（図３参照）から抽出したユーザＰＡの個人データを、携帯型装置１Ｂに送信すると共に、携帯型装置１ＢからユーザＰＢの個人データを受信する。同様に、携帯型装置１Ｂは、ユーザＰＢの個人データを、携帯型装置１Ａに送信すると共に、ユーザＰＡの個人データを受信する。
このようにすることで、各携帯型装置１に記憶されている個人データを、安全に相手先の携帯型装置１に送信することができる。
【００２４】
（例２：店舗での決済）
図６は、本実施形態に係る携帯型装置１を用いた決済での使用例を示す図である。
図６に示す例は、本実施形態の携帯型装置１を有するユーザＰが、携帯型装置１を店舗での決済処理で使用する場合である。
ユーザＰは、決済を行う際に、図６（Ａ）に示すように、決済処理端末７２の近辺において、携帯型装置１の骨伝導マイク４を装着した状態で、「決済」と発音する。
そして、図６（Ｂ）に示すように、ユーザＰは、携帯型装置１を、決済処理端末７２のリーダライタ７１に近づける。
【００２５】
携帯型装置１では、骨伝導マイク４が「決済」の発音に基づいて、骨から伝わってくる振動を検知することで、制御部１０（振動受付部１１）が骨伝導マイク４を介して振動データを受け付ける（図４のＳ１０）。そして、携帯型装置１は、制御部１０（特徴量抽出部１２、振動認証部１３）が振動データを用いて認証した後（図４のＳ１２がＹＥＳ）に、制御部１０（音声変換部１４、音声認識部１５）が振動データを音声データに変換して音声認識処理をし、処理内容データ記憶部３３（図３）を参照して処理項目を抽出する（図４のＳ１３〜１５）。そして、携帯型装置１は、処理項目が「決済」を抽出できたので（図４のＳ１６がＹＥＳ）、決済で使用するクレジットカードのカード番号を、処理内容データ記憶部３３（図３参照）から取得する。そして、携帯型装置１の制御部１０（処理部１６）は、通信部８を介してリーダライタ７１に対して、クレジットカードのカード番号を送出する。
そのようにすることで、図６（Ｃ）に示すように、決済処理端末７２では、リーダライタ７１を介してクレジットカードのカード番号を受信して、決済処理を行うことができる。
【００２６】
（例３：病院での保険証提示）
図７は、本実施形態に係る携帯型装置１を用いた病院での使用例を示す図である。
図７に示す例は、本実施形態の携帯型装置１を有するユーザＰが、携帯型装置１を病院での保険証提示で使用する場合である。
まず、ユーザＰは、携帯型装置１の骨伝導マイク４を装着した状態で、「保険証」と発音する（＃１）。
そして、ユーザＰは、携帯型装置１を、病院に設置されている受付端末８２のリーダライタ８１に近づける。
【００２７】
携帯型装置１では、骨伝導マイク４が「保険証」の発音に基づいて、骨から伝わってくる振動を検知することで、制御部１０（振動受付部１１）が骨伝導マイク４を介して振動データを受け付ける（図４のＳ１０）。そして、携帯型装置１は、制御部１０（特徴量抽出部１２、振動認証部１３）が振動データを用いて認証した後（図４のＳ１２がＹＥＳ）に、制御部１０（音声変換部１４、音声認識部１５）が振動データを音声データに変換して音声認識処理をし、処理内容データ記憶部３３（図３）を参照して処理項目を抽出する（図４のＳ１３〜１５）。そして、携帯型装置１は、処理項目が「決済」を抽出できたので（図４のＳ１６がＹＥＳ）、保険証番号を得るためのユーザＩＤを、処理内容データ記憶部３３（図３参照）から取得する。そして、携帯型装置１の制御部１０（処理部１６）は、通信部８を介してリーダライタ８１に対して、保険証番号の提示要求として、ユーザＩＤを送出する（＃２）。
【００２８】
受付端末８２は、リーダライタ８１を介して受信したユーザＩＤを、保険証番号を管理しているセンタサーバ８５に対して送信することで、問合せをする（＃３）。
センタサーバ８５では、受信したユーザＩＤに対応する保険証番号を、センタサーバ８５が有するデータベースから取得して（＃４）、取得した保険証番号を受付端末８２に送信する（＃５）。
このようにすることで、受付端末８２は、リーダライタ８１を介して携帯型装置１との通信をすることで、携帯型装置１のユーザＰの保険証番号を得ることができる。
【００２９】
なお、この例では、保険証番号を取得するものとして説明したが、同じ処理によって、センタサーバ８５で管理している各種のデータを、ユーザＩＤを用いることで取得することができる。その場合には、例えば、ユーザＩＤの他に、処理ごとに異なる暗号鍵を記憶部３０に記憶しておき、暗号鍵も含めてセンタサーバ８５に送信してもよい。そして、暗号鍵によってデータが復元できた場合には、そのデータを使用できるので、よりセキュリティ性の高い仕組みにすることができる。
【００３０】
このように、本実施形態によれば、携帯型装置１は、以下のような効果がある。
（１）ユーザＰは、携帯型装置１が有する骨伝導マイク４を装着して発音するだけで、骨伝導マイク４を介して受け付けた振動データによって本人認証処理を行うことができる。振動データは、音声データのように録音等を行うことが難しいため、複製が困難なものであり、ユーザＰ本人以外の者の不正使用を防ぐことができる。
（２）ユーザＰは、携帯型装置１が有する骨伝導マイク４を装着して発音するだけで、振動データを音声データに変換して、発音内容に基づく処理を行うことができる。よって、処理が、ユーザＰの発音に即したものになる。また、振動データから変換した音声データを用いるので、周囲が騒がしい状況下においても音声データを正確に取得できる。よって、周囲のノイズに強いものにできる。
【００３１】
（３）ユーザＰは、携帯型装置１が有する骨伝導マイク４を装着して発音するだけでよく、ユーザＰが手等を用いて操作を行う必要がない。よって、両手が塞がっている状態等であっても処理を行うことができる。
（４）携帯型装置１が送信する処理データは、暗号化されたデータにすることで、データを途中で盗み見られても解読できず、セキュリティ性が向上する。
【００３２】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００３３】
（変形形態）
（１）本実施形態では、骨伝導マイクを用いるものを説明したが、これに限定されない。ユーザに装着してそのユーザが発する音に関する振動を検知可能なものであれば、他の装置を用いるものであってもよい。
図８は、変形形態に係る携帯型装置２０１の例を示す図である。
携帯型装置２０１は、ユーザＰの喉の位置に装着する咽喉マイク２０４を備える。そして、咽喉マイク２０４は、喉の振動を検知して、振動データを携帯型装置２０１の制御部に送信する。よって、携帯型装置２０１は、咽喉マイク２０４を用いたものであっても、骨伝導マイクを用いたものと同様の処理を行うことができる。
【００３４】
（２）本実施形態では、本人認証処理を行った後に音声認識処理を行うものとして説明したが、これに限定されない。本人認証処理と、音声認識処理とを同時に（並行して）行うものであってもよい。そのようにすることで、処理時間の短縮を図ることができる。
（３）本実施形態では、名刺交換処理や決済処理、保険証処理を行うものを例に説明したが、これに限定されない。処理内容データ記憶部に処理項目と処理で使用するデータとを記憶させておけば、他のサービスであっても実行できる。
【００３５】
（４）本実施形態では、処理内容データ記憶部を用いて処理を行うものを説明したが、これに限定されない。携帯型装置が単一の処理を行う専用装置であれば、振動データに基づいて本人認証ができた場合には、特定の単一処理を行うようにすればよい。
（５）本実施形態では、振動データから得られた音声データを用いて音声認識処理を行うものを説明したが、これに限定されない。さらに、制御部（音声抽出手段）が音声データから声紋データを抽出し、制御部（声紋認証手段）が、声紋記憶部に記憶された予め認証を許可する声紋データと照合して認証を行う声紋認証をしてもよい。声紋認証は、声帯の大きさや声道の形が個人ごとに異なることを利用したものである。そのため、ある特定の言葉を発した際の声紋データは、個人特定に活用できる。そのようにすることで、複数の認証を利用することができるため、よりセキュリティ性が向上する。
【００３６】
（６）本実施形態では、認証処理や音声認識処理と、処理項目に対応する処理とを１つのプログラムによって行うものとして説明したが、これに限定されない。例えば、認証処理と、音声認識処理と、処理項目に対応する処理とは、各々別プログラムにしてもよい。
（７）本実施形態では、処理内容データ記憶部として、処理項目と処理データを１：１対応するものとして説明したが、これに限定されない。例えば、処理項目が「決済」である場合に、処理データとして、クレジットカードのカード番号の他に、ポイントカードや、電子マネーのカード番号等があってもよく、１：多の関係であってもよい。その場合には、どの処理データを使用するかをユーザに選択させたり、予め順序を決めて記憶しておくことで、複数の処理データに対しても適用できる。
【符号の説明】
【００３７】
１，１Ａ，１Ｂ，２０１  携帯型装置
４，４Ａ，４Ｂ  骨伝導マイク
８    通信部
１０  制御部
１１  振動受付部
１２  特徴量抽出部
１３  振動認証部
１４  音声変換部
１５  音声認識部
１６  処理部
３０  記憶部
３１ａ  処理プログラム
３２  振動パターン記憶部
３３  処理内容データ記憶部
７１，８１  リーダライタ
７２  レジ端末
８２  受付端末
２０４  咽喉マイク
Ｐ，ＰＡ，ＰＢ  ユーザ
【図１】
2017151735.tif 000003
【図２】
2017151735.tif 000004
【図３】
2017151735.tif 000005
【図４】
2017151735.tif 000006
【図５】
2017151735.tif 000007
【図６】
2017151735.tif 000008
【図７】
2017151735.tif 000009
【図８】
2017151735.tif 000010